(57)【要約】【課題】特別なセンサ装置を必要とせずに最適なサイズで画像を表示することのできる表示システムを提供する。【解決手段】表示装置と、表示装置に対して直接、表示対象の画像データを無線通信にて出力する出力装置とを含んだ表示システムにおいて、表示装置と出力装置との間の無線通信の強度に基づいて、表示装置と出力装置との間の距離が測定され（Ｓ５）、測定された距離と、表示装置の表示サイズとに基づいて、表示装置に表示する画像のサイズが決定される（Ｓ６）。そして、画像データに基づく画面を決定された画像のサイズに従って表示装置に表示する処理（Ｓ７〜Ｓ９）が行なわれる。【選択図】図２
2014142531.tif 000002
【特許請求の範囲】
【請求項１】
出力装置から無線通信で送信された画像データに基づいて表示装置が表示処理を行なう表示システムであって、
前記表示装置と前記出力装置との間の前記無線通信の強度に基づいて、前記表示装置と前記出力装置との間の距離を測定するための測定手段と、
前記距離と、前記表示装置の表示サイズとに基づいて、前記表示装置に表示する画像のサイズを決定するための決定手段と、
前記画像データに基づく画面を前記画像のサイズに従って前記表示装置に表示するための表示手段とを備える、表示システム。
【請求項２】
前記決定手段は、
前記表示装置の表示サイズが規定サイズよりも大きい場合には前記表示装置の表示エリアに対する前記画面の表示エリアの割合が小さくなるように前記画像のサイズを小さくし、前記表示装置の表示サイズが前記規定サイズよりも小さい場合には前記表示装置の表示エリアに対する前記画面の表示エリアの割合が大きくなるように前記画像のサイズを大きくし、
前記距離が規定距離よりも小さい場合には前記画像のサイズを小さくし、前記距離が前記規定距離よりも大きい場合には前記画像のサイズを大きくする、請求項１に記載の表示システム。
【請求項３】
前記表示システムには複数の出力装置が含まれ、前記表示装置は前記複数の出力装置のうちの２以上の出力装置それぞれからの出力に基づく２以上の画面を表示可能であって、
前記表示装置は、前記測定手段、前記決定手段、および前記表示手段を含み、
前記測定手段は、前記複数の出力装置それぞれの前記表示装置との間の距離を測定し、
前記決定手段は、前記複数の出力装置それぞれに対して画像のサイズを決定し、
前記表示手段は、前記複数の出力装置それぞれからの画像データを、前記それぞれに対する画像のサイズに従った表示データに変換することで、前記それぞれからの画像データに基づく画面を前記それぞれに対する画像のサイズに従って表示する、請求項１または２に記載の表示システム。
【請求項４】
出力装置から無線通信で送信された画像データに基づく画面を表示装置に表示させる表示制御方法であって、
前記表示装置と前記出力装置との間の前記無線通信の強度に基づいて、前記表示装置と前記出力装置との間の距離を測定するステップと、
前記距離と、前記表示装置の表示サイズとに基づいて、前記表示装置に表示する画像のサイズを決定するステップと、
前記画像データに基づく画面を前記画像のサイズに従って前記表示装置に表示するステップとを備える、表示制御方法。
【請求項５】
出力装置から無線通信で送信された画像データに基づく画面を表示装置に表示させる表示制御をコンピュータに実行させるプログラムであって、
前記表示装置と前記出力装置との間の前記無線通信の強度に基づいて、前記表示装置と前記出力装置との間の距離を測定するステップと、
前記距離と、前記表示装置の表示サイズとに基づいて、前記表示装置に表示する画像のサイズを決定するステップと、
前記画像データに基づく画面を前記画像のサイズに従って前記表示装置に表示するステップとを前記コンピュータに実行させる、表示制御プログラム。
【発明の詳細な説明】
【技術分野】
【０００１】
この発明は表示システム、表示制御方法、および表示制御プログラムに関し、特に、表示装置と出力装置とを含む表示システム、当該表示システムにおける表示制御方法、および表示制御プログラムに関する。
【背景技術】
【０００２】
テレビなどの表示装置と視聴者との位置関係を考慮した表示制御がいくつか提案されている。
【０００３】
たとえば、特開２００８−１８１１９９号公報（以下、特許文献１）は、リモコン側のカメラでテレビ画面を撮影し、撮影画像中のカーソル画像の位置とテレビに表示しているカーソル画像の位置とを比較することでリモコンの向きと相対位置とを検出し、それに基づいてテレビの表示画像の大きさや表示位置を変更するという技術を開示している。
【０００４】
また、特開２００７−２８８３７９号公報（以下、特許文献２）は、赤外線や超音波センサを用いることでテレビとリモコンとの距離を測定し、それに基づいてテレビに複数画面を表示する際のレイアウトを変更するという技術を開示している。
【０００５】
また近年、ＷｉＦｉ−Ｄｉｓｐｌａｙなどの、無線アクセスポイントを経由せず直接出力元の装置と表示装置とを無線で接続する技術が提案されている。そして、その技術に対応する機器が発売されている。
【先行技術文献】
【特許文献】
【０００６】
【特許文献１】特開２００８−１８１１９９号公報
【特許文献２】特開２００７−２８８３７９号公報
【発明の概要】
【発明が解決しようとする課題】
【０００７】
しかしながら、上記特許文献１、２に開示されている技術では、表示装置と視聴者との距離を測定するためにカメラや赤外線、超音波などの特別なセンサ装置が必要であった。
【０００８】
本発明はこのような問題に鑑みてなされたものであって、特別なセンサ装置を必要とせずに最適なサイズで画像を表示することのできる表示システム、表示制御方法、および表示制御プログラムを提供することを目的としている。
【課題を解決するための手段】
【０００９】
上記目的を達成するために、本発明のある局面に従うと、表示システムは出力装置から無線通信で送信された画像データに基づいて表示装置が表示処理を行なう表示システムであって、表示装置と出力装置との間の無線通信の強度に基づいて、表示装置と出力装置との間の距離を測定するための測定手段と、測定された距離と表示装置の表示サイズとに基づいて、表示装置に表示する画像のサイズを決定するための決定手段と、画像データに基づく画面を決定された画像のサイズに従って表示装置に表示するための表示手段とを備える。
【００１０】
好ましくは、決定手段は、表示装置の表示サイズが規定サイズよりも大きい場合には表示装置の表示エリアに対する画面の表示エリアの割合が小さくなるように画像のサイズを小さくし、表示装置の表示サイズが規定サイズよりも小さい場合には表示装置の表示エリアに対する画面の表示エリアの割合が大きくなるように画像のサイズを大きくし、測定された距離が規定距離よりも小さい場合には画像のサイズを小さくし、測定された距離が規定距離よりも大きい場合には画像のサイズを大きくする。
【００１１】
好ましくは、表示システムには複数の出力装置が含まれ、表示装置は複数の出力装置のうちの２以上の出力装置それぞれからの出力に基づく２以上の画面を表示可能であって、表示装置は、上述の測定手段、決定手段、および表示手段を含み、測定手段は、複数の出力装置それぞれの表示装置との間の距離を測定し、決定手段は、複数の出力装置それぞれに対して画像のサイズを決定し、表示手段は、複数の出力装置それぞれからの画像データを、それぞれに対する画像のサイズに従った表示データに変換することで、それぞれからの画像データに基づく画面をそれぞれに対する決定された画像のサイズに従って表示する。
【００１２】
本発明の他の局面に従うと、表示制御方法は出力装置から無線通信で送信された画像データに基づく画面を表示装置に表示させる表示制御方法であって、表示装置と出力装置との間の無線通信の強度に基づいて、表示装置と出力装置との間の距離を測定するステップと、測定された距離と表示装置の表示サイズとに基づいて、表示装置に表示する画像のサイズを決定するステップと、画像データに基づく画面を決定された画像のサイズに従って表示装置に表示するステップとを備える。
【００１３】
本発明のさらに他の局面に従うと、表示制御プログラムは出力装置から無線通信で送信された画像データに基づく画面を表示装置に表示させる表示制御をコンピュータに実行させるプログラムであって、表示装置と出力装置との間の無線通信の強度に基づいて、表示装置と出力装置との間の距離を測定するステップと、測定された距離と表示装置の表示サイズとに基づいて、表示装置に表示する画像のサイズを決定するステップと、画像データに基づく画面を決定された画像のサイズに従って表示装置に表示するステップとをコンピュータに実行させる。
【発明の効果】
【００１４】
この発明によると、ＷｉＦｉ−Ｄｉｓｐｌａｙなどの、無線アクセスポイントを経由せず、直接、無線通信を行なう出力装置と表示装置とを含んだ表示システムにおいて、特別なセンサ装置を必要とせずに、表示装置に最適なサイズで画像を表示することができる。
【図面の簡単な説明】
【００１５】
【図１】実施の形態にかかる表示システムの構成の具体例、および表示システムに含まれる各装置のハードウェア構成の具体例を示す図である。
【図２】第１の実施の形態にかかる表示システムでの動作の一例を示す図である。
【図３】図２のステップＳ６での画像のサイズの決定方法の一例を説明するための図である。
【図４】出力装置の機能構成の具体例を示すブロック図である。
【図５】第１の実施の形態にかかる表示システムの、出力装置での動作の流れを表わすフローチャートである。
【図６】第２の実施の形態にかかる表示システムでの動作の一例を示す図である。
【図７】表示装置の機能構成の具体例を示すブロック図である。
【図８】第２の実施の形態にかかる表示システムの、表示装置での動作の流れを表わすフローチャートである。
【図９】第２の実施の形態にかかる表示システムに複数の出力装置が含まれる場合の画面表示の例を表わした図である。
【発明を実施するための形態】
【００１６】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１７】
＜システム構成＞
図１は、本実施の形態にかかる表示システムの構成の具体例、および表示システムに含まれる各装置のハードウェア構成の具体例を示す図である。図１を参照して、本実施の形態にかかる表示システムは、画像データの出力元装置としての出力装置１００と、出力装置１００からの画像データに基づく表示を行なう表示装置２００とを含む。
【００１８】
出力装置１００と表示装置２００とは、双方向の無線通信を行なう。この無線通信として、たとえばＷｉＦｉ−ＤｉｓｐｌａｙやＢｌｕｅｔｏｏｔｈ（登録商標）などの規格に応じたものが該当する。
【００１９】
出力装置１００はユーザが携帯可能な装置であって、静止画や動画などの画像データを含むコンテンツを上記無線通信にて表示装置２００に対して送信する。出力装置１００には、たとえば、上記無線通信機能を有する端末装置や、小型のコンピュータなどが該当する。
【００２０】
表示装置２００は画像を表示可能な装置であって、出力装置１００から上記無線通信にて送信された画像データに基づく画面を表示する。表示装置２００には、たとえば、上記無線通信機能を有するテレビジョン受像機や、パーソナルコンピュータなどが該当する。
【００２１】
さらに図１を参照して、出力装置１００は、装置全体を制御する制御装置であるＣＰＵ（Central  Processing  Unit）１０と、メモリとして、ＣＰＵ１０で実行されるプログラムを記憶するためのＲＯＭ１１、および画像データを記憶したり、ＣＰＵ１０でプログラムを実行する際の作業領域となったりするためのＲＡＭ１２と、ディスプレイ１３と、ユーザからの指示入力を受け付けるためのキーやタッチパネルなどである入力装置１４と、表示装置２００との間で上記無線通信を行なうための無線通信部１５とを含む。
【００２２】
また、表示装置２００は、装置全体を制御する制御装置であるＣＰＵ２０と、メモリとして、ＣＰＵ２０で実行されるプログラムを記憶するためのＲＯＭ２１、および画像データを記憶したり、ＣＰＵ２０でプログラムを実行する際の作業領域となったりするためのＲＡＭ２２と、ディスプレイ２３と、スピーカ２４と、出力装置１００との間で上記無線通信を行なうための無線通信部２５とを含む。
【００２３】
［第１の実施の形態］
＜動作概要＞
図２は、第１の実施の形態にかかる表示システムでの動作の一例を示す図である。図２を参照して、端末装置などの出力装置に対して、ユーザから、テレビなどの表示装置への接続の指示がなされると、出力装置は表示装置に対して接続を要求する（ステップＳ１）。表示装置は、たとえば許可ユーザからの要求であるなど、その要求が適切である場合には接続許可を応答する（ステップＳ２）。
【００２４】
接続が許可されると、出力装置は表示装置に対して、表示装置のディスプレイへの画面の表示サイズを問い合わせる（ステップＳ３）。表示装置は、その問い合わせに対して自身の表示サイズを応答する（ステップＳ４）。
【００２５】
出力装置は、一連の無線通信でのやり取りにおける無線通信の電波強度を検出することで、表示装置との間の距離を測定する（ステップＳ５）。ここでは、一例として、出力装置は、予め、電波強度と距離との関係を記憶しておき、測定された電波強度に対応した距離を読み出すことで表示装置との間の距離を特定してもよい。また他の例として、出力装置は、予め、電波強度をパラメータとする距離の換算式を記憶しておき、測定された電波強度をその換算式に代入することで表示装置との間の距離を算出してもよい。
【００２６】
出力装置は、測定された表示装置との間の距離と、上記ステップＳ４で得られた表示装置の表示サイズとに基づいて、表示装置に表示する画像のサイズを決定し（ステップＳ６）、表示対象の画像データを決定された画像のサイズとなるように変換して（ステップＳ７）、変換後の画像データを表示装置に対して送信する（ステップＳ８）。表示装置は、出力装置からの画像データに基づく画面をディスプレイに表示するための表示処理を実行する（ステップＳ９）。
【００２７】
図３は、上記ステップＳ６での画像のサイズの決定方法の一例を説明するための図である。出力装置は、予めしきい値としての規定距離Ｌを記憶しておく。図３（Ａ）を参照して、測定された表示装置との間の距離Ｌ１が上記規定距離Ｌよりも小さい場合（Ｌ１＜Ｌ）、つまり、表示装置に対して出力装置が近い位置にある場合、出力装置は、画像のサイズを小さくする。これにより、近距離にいる、出力装置を操作（携帯）している視聴者に対して表示画像が大きくなり過ぎないようにすることができる。
【００２８】
また、図３（Ｂ）を参照して、測定された表示装置との間の距離Ｌ２が上記規定距離Ｌよりも大きい場合（Ｌ２＞Ｌ）、つまり、表示装置に対して出力装置が遠い位置にある場合、出力装置は、画像のサイズを大きくする。これにより、遠距離にいる、出力装置を操作（携帯）している視聴者にも見やすい大きな表示画像とすることができる。
【００２９】
表示装置との間の距離に基づいて画像のサイズを決定する処理の一例として、出力装置は、予め表示装置との間の距離に比例した画像のサイズを記憶していてもよいし、予め換算式を記憶しておき、表示装置との間の距離を代入することで画像のサイズを決定してもよい。
【００３０】
また、出力装置は、予めしきい値としての表示サイズの規定サイズＷを記憶しておく。図３（Ｂ）を参照して、得られた表示装置の表示サイズＷ１が上記規定サイズＷよりも小さい場合（Ｗ１＜Ｗ）、つまり、表示装置がサイズの小さいものである場合、出力装置は、画像のサイズを大きくする。これにより、表示装置において画像データに基づく画面が表示される表示エリアの割合が表示装置の表示エリア全体に対して大きくなる。そのため、小型の表示サイズの表示装置にも大きなサイズで画面が表示されることになる。
【００３１】
また、図３（Ｃ）を参照して、得られた表示装置の表示サイズＷ２が上記規定サイズＷよりも大きい場合（Ｗ２＞Ｗ）、つまり、表示装置がサイズの大きいものである場合、出力装置は、画像のサイズを小さくする。これにより、表示装置において画像データに基づく画面が表示される表示エリアの割合が表示装置の表示エリア全体に対して小さくなる。そのため、大型の表示サイズの表示装置に画像データに基づく画面を表示した際に表示画像が大きくなり過ぎないようにすることができる。
【００３２】
表示装置の表示サイズに基づいて画像のサイズを決定する処理の一例として、出力装置は、予め表示装置の表示サイズに反比例した画像のサイズを記憶していてもよいし、予め変換式を記憶しておき、表示装置の表示サイズを代入することで画像のサイズを決定してもよい。
【００３３】
上記ステップＳ６で出力装置は、上記の表示装置との間の距離に基づいて画像のサイズを決定する処理と、表示装置の表示サイズに基づいて画像のサイズを決定する処理とを組み合わせることで、上記距離と表示装置の表示サイズとに基づいて表示装置に表示する画像のサイズを決定する。組み合わせる方法の一例として、出力装置は、まず、上述のようにして表示装置との間の距離に基づいて画像のサイズを決定した後、さらに、画像のサイズに対して表示装置の表示サイズを考慮してサイズを再決定してもよい。また、その逆であってもよい。または、出力装置は、予め、表示装置との間の距離に比例し、かつ、表示装置の表示サイズに反比例した画像のサイズを記憶していてもよいし、予め、表示装置との間の距離、および、表示装置の表示サイズをパラメータとした換算式を記憶しておき、この変換式にこれらの値を代入することで画像のサイズを決定してもよい。
【００３４】
＜機能構成＞
図４は、上記動作のための出力装置１００の機能構成の具体例を示すブロック図である。図４の各機能は、出力装置１００のＣＰＵ１０がＲＯＭ１１に記憶されているプログラムをＲＡＭ１２上に読み出して実行することで、主にＣＰＵ１０上に形成されるものである。しかしながら、少なくとも一部の機能が、図１に表わされたハードウェア構成、またはその他の電気回路などによって実現されてもよい。
【００３５】
図４を参照して、メモリの一例としてのＲＯＭ１１には、表示装置への出力対象である画像データを記憶するための記憶領域である画像データ記憶部１１１が備えられる。
【００３６】
さらに図４を参照して、ＣＰＵ１０は、無線通信部１５で行なう表示装置２００との間の無線通信の電波強度を検出することによって表示装置２００との間の距離を測定するための測定部１０１と、無線通信部１５を介して表示装置２００から無線通信で表示サイズを受信することで表示サイズを取得するための表示サイズ取得部１０２と、表示装置２００との間の距離と表示装置２００の表示サイズとに基づいて表示装置に表示する画像のサイズを決定するためのサイズ決定部１０３と、画像データに基づく画面を上記の画像のサイズに従って表示装置２００に表示するための表示処理部１０４とを含む。表示処理部１０４は、表示対象の画像データを画像データ記憶部１１１から読み出してサイズ決定部１０３で決定されたサイズに変換するためのデータ変換部１０５と、変換された画像データを無線通信部１５を介して表示装置２００に送信するための送信部１０６とを含む。
【００３７】
＜動作フロー＞
図５は、第１の実施の形態にかかる表示システムの、出力装置１００での動作の流れを表わすフローチャートである。図５のフローチャートに表わされた動作は、出力装置１００に対してユーザから接続指示がなされると開始されるものであって、その指示を受けて出力装置１００のＣＰＵ１０がＲＯＭ１１に記憶されているプログラムをＲＡＭ１２上に読み出して実行し、図４の各機能を発揮させることによって実現される。
【００３８】
図５を参照して、ＣＰＵ１０は、表示装置２００に対して接続要求を無線通信にて送信する（ステップＳ１０１）。さらに、ＣＰＵ１０は、表示装置２００に対して表示サイズを問い合わせることで、表示サイズを取得する（ステップＳ１０３）。なお、出力装置１００のメモリに、予め、表示装置ごとの表示サイズが記憶されていてもよい。この場合、ステップＳ１０３でＣＰＵ１０は、上記接続要求に対する応答を解析することで該当する表示装置２００を特定し、その表示装置２００の表示サイズをメモリから読み出すことで表示サイズを取得することができる。
【００３９】
ＣＰＵ１０は、表示装置２００との間の無線通信の電波強度を検出することで、表示装置２００との間の距離を測定する（ステップＳ１０５）。そして、ＣＰＵ１０は、取得した表示装置２００の表示サイズと測定した表示装置２００との間の距離とに基づいて表示装置２００に表示する画像のサイズを決定する（ステップＳ１０７）。
【００４０】
ＣＰＵ１０は、表示対象の画像データを決定されたサイズに変換し（ステップＳ１０９）、表示装置２００に対して無線通信で送信する（ステップＳ１１１）。
【００４１】
＜第１の実施の形態の効果＞
以上の動作が出力装置１００において行なわれることで、表示装置２００との間の距離を測定するための特別なセンサを要することなく、表示装置２００と視聴者との間の距離に応じて適切なサイズで画像を表示することができる。すなわち、出力装置１００を操作（携帯）している視聴者が表示装置２００から近い位置にいる場合には画像を小さく、遠い位置にいる場合には大きく表示させることができる。このため、特別なセンサを要することなく、視聴者に対して見やすい画像を表示させることができる。
【００４２】
また、表示装置２００の表示サイズを測定するための特別なセンサを要することなく、表示装置２００の表示サイズに応じて適切なサイズで画像を表示することができる。すなわち、表示装置２００が大きいディスプレイを備えたものである場合には画像を小さく、小さいディスプレイを備えたものである場合には大きく画像を表示させることができる。このため、視特別なセンサを要することなく、聴者に対して見やすい画像を表示させることができる。
【００４３】
［第２の実施の形態］
なお、以上の例では、出力装置１００側で距離の測定、画像サイズの決定、画像データの変換を行なうものとしているが、これらの処理は表示システムのいずれの装置で行なわれてもよい。そこで、他の例として、表示装置２００側で行なう例について説明する。
【００４４】
図６は、第２の実施の形態にかかる表示システムでの動作の一例を示す図である。図６を参照して、第２の実施の形態にかかる表示システムでは、ユーザからの指示に応じて出力装置が表示装置に対して接続を要求し（ステップＳ１１）、表示装置から接続許可が応答されると（ステップＳ１２）、出力装置は、表示対象の画像データを表示装置に対して送信する（ステップＳ１３）。
【００４５】
表示装置は、一連の無線通信でのやり取りにおける無線通信の電波強度を検出することで、出力装置との間の距離を測定する（ステップＳ１４）。表示装置は、測定された出力装置との間の距離と自身の表示サイズとに基づいて表示する画像のサイズを決定し（ステップＳ１５）、出力装置から送信された表示対象の画像データを決定された画像のサイズとなるように変換する（ステップＳ１６）。この一連の動作は、第１の実施の形態にかかる表示システムにおいては出力装置が上記ステップＳ５〜７で行なった動作と同じである。
【００４６】
表示装置は、変換後の画像データに基づく画面をディスプレイに表示するための表示処理を実行する（ステップＳ１７）。
【００４７】
＜機能構成＞
図７は、上記動作のための表示装置２００の機能構成の具体例を示すブロック図である。図７の各機能は、表示装置２００のＣＰＵ２０がＲＯＭ２１に記憶されているプログラムをＲＡＭ２２上に読み出して実行することで、主にＣＰＵ２０上に形成されるものである。しかしながら、少なくとも一部の機能が、図１に表わされたハードウェア構成、またはその他の電気回路などによって実現されてもよい。
【００４８】
図７を参照して、ＣＰＵ２０は、無線通信部２５で行なう出力装置１００との間の無線通信の電波強度を検出することによって出力装置１００との間の距離を測定するための測定部２０１と、無線通信部２５を介して出力装置１００から画像データを受信することで画像データの入力を受け付けるための画像データ入力部２０２と、出力装置１００との間の距離と自身の表示サイズとに基づいて表示する画像のサイズを決定するためのサイズ決定部２０３と、画像データに基づく画面を上記の画像のサイズに従ってディスプレイ２３に表示するための表示処理部２０４とを含む。表示処理部２０４は、表示対象の画像データをサイズ決定部２０３で決定されたサイズに変換するためのデータ変換部２０５と、変換された画像データから表示データを生成してディスプレイ２３に渡すことでディスプレイ２３に画面を表示させるための表示部２０６とを含む。
【００４９】
＜動作フロー＞
図８は、第２の実施の形態にかかる表示システムの、表示装置２００での動作の流れを表わすフローチャートである。図８のフローチャートに表わされた動作は、出力装置１００から接続が要求されると開始されるものであって、その要求を受けて表示装置２００のＣＰＵ２０がＲＯＭ２１に記憶されているプログラムをＲＡＭ２２上に読み出して実行し、図７の各機能を発揮させることによって実現される。
【００５０】
図８を参照して、ＣＰＵ２０は、出力装置１００からの接続要求に対して（たとえば認証が必要なら認証成功の場合）、接続許可を応答する（ステップＳ２０１）。さらに、ＣＰＵ２０は、出力装置１００から表示対象の画像データを取得する（ステップＳ２０３）。
【００５１】
ＣＰＵ２０は、出力装置１００との間の無線通信の電波強度を検出することで、出力装置１００との間の距離を測定する（ステップＳ２０５）。そして、ＣＰＵ２０は、自身の表示サイズと測定した出力装置１００との間の距離とに基づいて表示する画像のサイズを決定する（ステップＳ２０７）。
【００５２】
ＣＰＵ２０は、表示対象の画像データを決定されたサイズに変換し（ステップＳ２０９）、ディスプレイ２３で表示する（ステップＳ２１１）。
【００５３】
＜第２の実施の形態の効果＞
以上の動作が表示装置２００において行なわれることによっても、出力装置１００との間の距離を測定するための特別なセンサを要することなく、表示装置２００と視聴者との間の距離に応じて適切なサイズで画像を表示することができる。また、表示装置２００の表示サイズを測定するための特別なセンサを要することなく、表示装置２００の表示サイズに応じて適切なサイズで画像を表示することができる。
【００５４】
このとき、第２の実施の形態のように表示装置２００側で画像サイズを決定する場合には、表示装置２００の表示サイズを問い合わせる動作を不要とすることができる。
【００５５】
なお、第２の実施の形態のように、表示装置２００側で距離の測定、画像サイズの決定、画像データの変換を行なう場合、当該表示システムに複数の出力装置１００が含まれ、それら複数の出力装置１００が表示装置２００に対して同時に接続した場合でも、図９に表わされたように、表示装置２００は、それぞれの出力装置１００からの画像データに基づく画像を適切なサイズで表示させることができる。すなわち、表示装置２００のＣＰＵ２０は、上記ステップＳ２０１〜Ｓ２１１を、接続を要求した出力装置１００ごとに行なうことで、それぞれの出力装置１００からの画像データに基づく画像のサイズを、それぞれの出力装置１００との間の距離および自身の表示サイズに基づいて決定することができる。そして、この場合、ＣＰＵ２０は、各画像データに基づく画像を決定したサイズで、ディスプレイ２３にそれぞれ表示する。この表示は、図９のように画面を分割して同時に表示するものであってもよいし、同一の画面に順に表示を切り替える（時分割する）ものであってもよい。
【００５６】
＜変形例１＞
なお、出力装置１００と表示装置２００との間の距離の測定、画像サイズの決定、および画像データの変換のうちの一部を出力装置１００が行ない、残りを表示装置２００が行なうようにしてもよい。さらに、画像サイズの決定および画像データの変換は、表示システムに図示しないサーバ等の第３の装置が含まれている場合、その装置によって行なわれてもよい。
【００５７】
＜変形例２＞
さらに、上述の処理を出力装置１００のＣＰＵ１０や、表示装置２００のＣＰＵ２０に実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００５９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６０】
提供されるプログラム製品は、ハードディスクなどのプログラム格納部にインストールされて実行される。なお、プログラム製品は、プログラム自体と、プログラムが記録された記録媒体とを含む。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１０，２０  ＣＰＵ、１１，２１  ＲＯＭ、１２，２２  ＲＡＭ、１３，２３  ディスプレイ、１４  入力装置、１５，２５  無線通信部、２４  スピーカ、１００  出力装置、１０１，２０１  測定部、１０２  表示サイズ取得部、１０３，２０３  サイズ決定部、１０４，２０４  表示処理部、１０５，２０５  データ変換部、１０６  送信部、１１１  画像データ記憶部、２００  表示装置、２０２  画像データ入力部、２０６  表示部。
【図１】
2014142531.tif 000003
【図２】
2014142531.tif 000004
【図３】
2014142531.tif 000005
【図４】
2014142531.tif 000006
【図５】
2014142531.tif 000007
【図６】
2014142531.tif 000008
【図７】
2014142531.tif 000009
【図８】
2014142531.tif 000010
【図９】
2014142531.tif 000011